(57)【特許請求の範囲】
【請求項１】
制御装置に、情報入力装置が接続されると共に、音響信号及び映像信号を含むＡＶ信号を再生することが可能な複数台の音響・映像再生機器が接続され、情報入力装置の操作に応じて、複数台の機器の動作が制御される音響・映像コントロールシステムにおいて、制御装置には、音響・映像再生機器から出力される映像信号を入力することが可能であって、該制御装置は、
映像信号の信号レベルの変動状態に基づいて、ユーザ操作に応じて所定の音響・映像再生機器が正常に所定の動作を行なっているか否かを判断する動作判断手段と、
何れかの音響・映像再生機器が正常に所定の動作を行なっていないと判断されたとき、その旨を表示するための画像信号を出力する信号出力手段
とを具えていることを特徴とする音響・映像コントロールシステム。
【請求項２】
制御装置は、更に、
映像信号の信号レベルがゼロであるか否かを判断すると共に、映像信号の信号レベルが変動するか否かを判断するレベル変動判断手段
を具え、前記動作判断手段は、レベル変動判断手段の判断結果に基づいて、各音響・映像再生機器の動作状態を判別し、該判別結果に基づいて、所定の音響・映像再生機器が正常に所定の動作を行なっているか否かを判断する請求項１に記載の音響・映像コントロールシステム。
【請求項３】
前記レベル変動判断手段は、
水平走査周期のｎ倍(ｎは１以上の整数)の周期で映像信号のサンプリングを行なう垂直サンプリング手段と、
垂直サンプリング手段から得られる複数のサンプリング点を結ぶ波形に、一定の範囲を逸脱する大きな変動が間欠的に現れるか否かを判断する変動発生判断手段
とを具えている請求項２に記載の音響・映像コントロールシステム。
【請求項４】
前記レベル変動判断手段は、
水平走査周期よりも短い周期で映像信号のサンプリングを行なう水平サンプリング手段と、
水平走査期間毎に複数のサンプリング点の中から信号レベルのピーク点を抽出する抽出手段と、
抽出手段によって抽出された複数のピーク点の信号レベルが一致するか否かを判断するピークレベル判断手段
とを具えている請求項２に記載の音響・映像コントロールシステム。
【請求項５】
前記レベル変動判断手段は、
水平走査周期のｎ倍(ｎは１以上の整数)の周期で映像信号のサンプリングを行なう垂直サンプリング手段と、
垂直サンプリング手段から得られる複数のサンプリング点を結ぶ波形に、一定の範囲を逸脱する大きな変動が間欠的に現れるか否かを判断する変動発生判断手段と、
水平走査周期よりも短い周期で映像信号のサンプリングを行なう水平サンプリング手段と、
水平走査期間毎に複数のサンプリング点の中から信号レベルのピーク点を抽出する抽出手段と、
抽出手段によって抽出された複数のピーク点の信号レベルが一致するか否かを判断するピークレベル判断手段
とを具えている請求項２に記載の音響・映像コントロールシステム。
【請求項６】
制御装置には、音響・映像再生機器から出力される映像信号及び音響信号を入力することが可能であって、前記動作判断手段は、映像信号の入力の有無、映像信号の信号レベルの変動状態、及び音響信号の入力の有無に基づいて、所定の音響・映像再生機器が正常に所定の動作を行なっているか否かを判断するものであり、制御装置は、更に、
映像信号の入力の有無を判断する映像入力判断手段と、
音響信号の入力の有無を判断する音響入力判断手段
とを具え、前記動作判断手段は、映像入力判断手段、レベル変動判断手段及び音響入力判断手段の判断結果に基づいて、所定の音響・映像再生機器が正常に所定の動作を行なっているか否かを判断する請求項２乃至請求項５の何れかに記載の音響・映像コントロールシステム。
【発明の詳細な説明】
【０００１】
【発明の属する技術分野】
本発明は、音響信号及び映像信号を含むＡＶ信号を再生することが可能な複数台の音響・映像再生機器(以下、ＡＶ再生機器という)が制御装置に接続され、該制御装置に装備された情報入力装置の操作に応じて、複数台の機器の動作が制御される音響・映像コントロールシステム(以下、ＡＶコントロールシステムという)に関するものである。
【０００２】
【従来の技術】
従来、図１０に示す様に、ＶＣＲ(31)、ＤＶＤプレーヤ(32)、ＬＤプレーヤ(33)、モニタ装置(３)等の複数台の機器がマイクロコンピュータなどからなるコントローラ(４)に接続され、該コントローラ(４)のリモートコントロール送信器(40)を用いて、前記複数台の機器を集中的に操作することが可能なＡＶコントロールシステムが提案されている。
【０００３】
上記ＡＶコントロールシステムにおいては、コントローラ(４)にマトリクススイッチャー(２)が接続されており、該マトリクススイッチャー(２)には、各機器のＡＶ入力端子及びＡＶ出力端子を接続するためのＡＶ入力ポート(21)及びＡＶ出力ポート(22)が設けられている。ＡＶ入力ポート(21)には、ＶＣＲ(31)、ＤＶＤプレーヤ(32)及びＬＤプレーヤ(33)が接続されており、マトリクススイッチャー(２)は、コントローラ(４)から供給されるＡＶ入力切換え信号に基づいて、ＡＶ入力をＶＣＲ(31)、ＤＶＤプレーヤ(32)及びＬＤプレーヤ(33)の何れかの機器に切り換える。一方、ＡＶ出力ポート(22)には、モニタ装置(３)が接続されており、モニタ装置(３)には、前記何れかの機器から出力されたＡＶ信号が入力される。
【０００４】
該ＡＶコントロールシステムにおいては、ユーザが、リモートコントロール送信器(40)を用いて、所定の機器に所定の動作を実行させるための操作を行なうと、該操作に応じて、コントローラ(４)からマトリクススイッチャー(２)にＡＶ入力切換え信号が供給されると共に、コントローラ(４)から所定の１或いは複数台の機器に対して所定の動作を行なわしめるための制御信号が出力される。これによって、マトリクススイッチャー(２)のＡＶ入力が所定の機器に切り換えられると共に、所定の機器が所定の動作を開始して、ＶＣＲ(31)、ＤＶＤプレーヤ(32)及びＬＤプレーヤ(33)の何れかの機器から出力されたＡＶ信号が、マトリクススイッチャー(２)を経てモニタ装置(３)に入力されることになる。この結果、前記何れかの機器によって再生された映像がモニタ装置(２)に映し出される。
【０００５】
例えば、ユーザがＶＣＲ(31)の再生画をモニタ装置(３)に映し出すための操作を行なうと、コントローラ(４)からマトリクススイッチャー(２)に対しＡＶ入力をＶＣＲ(31)に切り換えるためのＡＶ入力切換え信号が供給されると共に、所定の機器(ＶＣＲ、モニタ装置)に対し所定の動作(ＶＣＲの電源オン、ＶＣＲの通常再生開始、モニタ装置の電源オン等)を行なわしめるための制御信号が出力されて、ＶＣＲ(31)の再生画がモニタ装置(３)に映し出されることになる。
【０００６】
又、上記ＡＶコントロールシステムにおいては、マトリクススイッチャー(２)のＡＶ出力ポート(22)にコントローラ(４)が接続されており、コントローラ(４)には、上記複数台の機器(31)(32)(33)の何れかの機器から出力されたＡＶ信号が入力される。
コントローラ(４)は、該ＡＶ信号の入力が無い場合に、所定の機器の電源が正常にオンとなっていない、或いは記録媒体がセットされていないと判断して、その旨を表示するための画像信号をモニタ装置(３)に供給する。この結果、モニタ装置(３)には、機器が正常にオンとなっていない旨や記録媒体がセットされていない旨の表示が為されることになる。ユーザは、該表示を見ることによって、機器の電源オンの正常／異常、記録媒体のセットの有無等を知ることが出来る。
【０００７】
【発明が解決しようとする課題】
しかしながら、上記従来のＡＶコントロールシステムにおいては、ＡＶ信号の入力の有無に基づいて、機器の電源オンの正常／異常や記録媒体のセットの有無が判断されるに過ぎず、ユーザは、自己の操作に応じて所定の機器が所定の動作、例えば、通常再生動作、早送り動作或いは巻戻し動作等を正常に行なっているか否かを知ることが出来ない問題があった。
そこで、本発明の目的は、ユーザが、自己の操作に応じて所定の機器が正常に所定の動作を行なっているか否かを知ることが出来るＡＶコントロールシステムを提供することである。
【０００８】
【課題を解決する為の手段】
本発明に係るＡＶコントロールシステムは、制御装置に、情報入力装置が接続されると共に、音響信号及び映像信号を含むＡＶ信号を再生することが可能な複数台の音響・映像再生機器が接続されている。
制御装置には、音響・映像再生機器から出力される映像信号を入力することが可能であって、該制御装置は、
映像信号の信号レベルの変動状態に基づいて、ユーザ操作に応じて所定の音響・映像再生機器が正常に所定の動作を行なっているか否かを判断する動作判断手段と、
何れかの音響・映像再生機器が正常に所定の動作を行なっていないと判断されたとき、その旨を表示するための画像信号を出力する信号出力手段
とを具えている。
【０００９】
具体的には、制御装置は、更に、
映像信号の信号レベルがゼロであるか否かを判断すると共に、映像信号の信号レベルが変動するか否かを判断するレベル変動判断手段
を具え、前記動作判断手段は、レベル変動判断手段の判断結果に基づいて、各音響・映像再生機器の動作状態を判別し、該判別結果に基づいて、所定の音響・映像再生機器が正常に所定の動作を行なっているか否かを判断する。
【００１０】
本発明に係るＡＶコントロールシステムにおいては、制御装置に接続される複数台の機器に、画像表示機器、例えばモニタ装置が含まれている。或いは、制御装置は、画像表示装置を具えている。
【００１１】
ＡＶ再生機器の電源がオフの状態では、該ＡＶ再生機器から映像信号が出力されないため、制御装置に映像信号が入力されず、映像信号の信号レベルはゼロである。
又、ＡＶ再生機器が通常再生動作、或いは、ＡＶ信号を再生しつつ早送り又は巻戻しを行なうサーチ再生動作を行なっている状態では、画像表示機器には記録媒体から再生された映像が表示される。このとき、ＡＶ再生機器からは記録媒体から再生された映像信号が出力されており、かかる映像信号の信号レベルは変動する。
又、ＡＶ再生機器の電源がオンとなった直後、或いはＡＶ再生機器が通常の早送り動作又は巻戻し動作を行なっている状態では、画像表示機器には略全域が青色や灰色の一色の画面が表示される。このとき、ＡＶ再生機器からは、画像表示機器に略全域が青色や灰色の一色の画面を表示するための映像信号がＡＶ再生機器から出力されており、かかる映像信号の信号レベルは一定である。
【００１２】
従って、動作判断手段は、映像信号の信号レベルがゼロであると判断されたときに、ＡＶ再生機器は電源がオフの状態、映像信号の信号レベルが変動すると判断されたときに、ＡＶ再生機器は通常再生動作、或いはサーチ再生動作を行なっている状態、映像信号の信号レベルが変動しないと判断されたときに、ＡＶ再生機器は電源がオンとなった直後の状態、或いはＡＶ再生機器は通常の早送り動作又は巻戻し動作を行なっている状態であると判別し、その動作状態が、ユーザ操作に応じた所定の動作状態であるか否かを判断する。
【００１３】
そして、何れかのＡＶ再生機器が、ユーザ操作に応じて正常に所定の動作を行なっていないと判断されたとき、その旨が画像表示機器、或いは画像表示装置に表示される。
ユーザは、該表示を見ることによって、自己の操作に応じて所定の機器が正常に所定の動作を行なっていないことを知ることが出来る。
【００１４】
又、具体的には、前記レベル変動判断手段は、
水平走査周期のｎ倍(ｎは１以上の整数)の周期で映像信号のサンプリングを行なう垂直サンプリング手段と、
垂直サンプリング手段から得られる複数のサンプリング点を結ぶ波形に、一定の範囲を逸脱する大きな変動が間欠的に現れるか否かを判断する変動発生判断手段と、
水平走査周期よりも短い周期で映像信号のサンプリングを行なう水平サンプリング手段と、
水平走査期間毎に複数のサンプリング点の中から信号レベルのピーク点を抽出する抽出手段と、
抽出手段によって抽出された複数のピーク点の信号レベルが一致するか否かを判断するピークレベル判断手段
とを具えている。
【００１５】
ＡＶ再生機器が通常再生動作を行なっている状態、或いはサーチ再生動作を行なっている状態では、上述の如く、記録媒体から再生された映像信号がＡＶ再生機器から出力されるが、ＡＶ再生機器がサーチ再生動作を行なっている状態では、画像表示機器に表示される映像に、ノイズによる横線が一定の間隔で表われる。ここで、サンプリングは水平走査周期のｎ倍(ｎは１以上の整数)の周期で行なわれるので、映像信号は、画像表示機器の画面に沿って垂直方向にサンプリングされることになる。従って、該サンプリングによって得られる複数のサンプリング点を結ぶ波形には、前記ノイズによる横線に応じて、一定の範囲を逸脱する大きな変動が間欠的に現れることになる。
これに対し、ＡＶ再生機器が通常再生動作を行なっている状態では、画像表示機器に表示される映像に上記ノイズによる横線が表われず、複数のサンプリング点を結ぶ波形には上記大きな変動は現れない。
【００１６】
従って、動作判断手段は、上記大きな変動が現れないと判断されたときに、ＡＶ再生機器は通常再生動作を行なっている状態、上記大きな変動が間欠的に現れると判断されたときに、ＡＶ再生機器はサーチ再生動作を行なっている状態であると判別する。
【００１７】
又、ＡＶ再生機器の電源がオンとなった直後、或いはＡＶ再生機器が通常の早送り動作又は巻戻し動作を行なっている状態では、上述の如く、画像表示機器に略全域が青色や灰色の一色の画面を表示するための映像信号がＡＶ再生機器から出力されるが、ＡＶ再生機器が通常の早送り動作又は巻戻し動作を行なっている状態では、画像表示機器の画面に早送り動作中又は巻戻し動作中であることを表わす表示が為される。ＡＶ再生機器から出力される映像信号の信号レベルは、１の水平走査期間において、かかる表示の一定期間だけ上昇し、この一定期間内のサンプリング点が１つのピーク点として抽出されることとなる。従って、このピーク点の信号レベルは、他のピーク点の信号レベルに比べて高くなり、水平走査期間毎に抽出された複数のピーク点の信号レベルは一致しない。
これに対し、ＡＶ再生機器の電源がオンとなった直後は、画像表示機器には全域が完全に一色の画面が表示される。このとき、ＡＶ再生機器から出力される映像信号の信号レベルは、常に一定であり、水平走査期間毎に抽出された複数のピーク点の信号レベルは一致する。
【００１８】
従って、動作判断手段は、上記複数のピーク点の信号レベルが一致すると判断されたときに、ＡＶ再生機器は電源がオンとなった直後の状態、上記複数のピーク点の信号レベルが一致しないと判断されたときに、ＡＶ再生機器は早送り動作又は巻戻し動作を行なっている状態であると判別する。
【００１９】
更に具体的には、制御装置には、音響・映像再生機器から出力される映像信号及び音響信号を入力することが可能であって、前記動作判断手段は、映像信号の入力の有無、映像信号の信号レベルの変動状態、及び音響信号の入力の有無に基づいて、所定の音響・映像再生機器が正常に所定の動作を行なっているか否かを判断するものであり、制御装置は、更に、
映像信号の入力の有無を判断する映像入力判断手段と、
音響信号の入力の有無を判断する音響入力判断手段
とを具え、前記動作判断手段は、映像入力判断手段、レベル変動判断手段及び音響入力判断手段の判断結果に基づいて、所定の音響・映像再生機器が正常に所定の動作を行なっているか否かを判断する。
【００２０】
ＡＶ再生機器の電源がオフの状態では、ＡＶ再生機器から映像信号が出力されず、制御装置には映像信号が入力されない。これに対し、ＡＶ再生機器の電源がオンとなった直後、ＡＶ再生機器が通常再生動作、サーチ再生動作、通常の早送り動作又は巻戻し動作を行なっている状態では、ＡＶ再生機器から映像信号が出力されて、該映像信号が制御装置に入力される。
又、ＡＶ再生機器の電源がオフの状態、ＡＶ再生機器の電源がオンとなった直後、ＡＶ再生機器が通常の早送り動作又は巻戻し動作を行なっている状態では、ＡＶ再生機器から音響信号が出力されず、制御装置には音響信号が入力されない。これに対し、ＡＶ再生機器が通常再生動作、或いはサーチ再生動作を行なっている状態では、ＡＶ再生機器から音響信号が出力される期間と出力されない期間が存在し、制御装置に音響信号が入力される期間と入力されない期間が存在する。
該具体的構成によれば、映像信号の信号レベルの変動状態に加えて、映像信号の入力の有無、及び音響信号の入力の有無に基づいて、ＡＶ再生機器の動作状態が判別されるので、判別結果についての信頼性が向上する。
【００２１】
【発明の効果】
本発明に係るＡＶコントロールシステムによれば、ユーザは、自己の操作に応じて所定の機器が正常に所定の動作を行なっているか否かを知ることが出来る。
【００２２】
【発明の実施の形態】
以下、本発明の実施の形態につき、図面に沿って具体的に説明する。
本発明に係るＡＶコントロールシステムの全体構成は、図１に示す様に、コントローラ(１)の構成を除き、従来のＡＶコントロールシステムと同一であって、マイクロコンピュータなどからなるコントローラ(１)に、ＶＣＲ(31)、ＤＶＤプレーヤ(32)、ＬＤプレーヤ(33)、モニタ装置(３)等の複数台の機器が接続されており、コントローラ(１)のリモートコントロール送信器(10)を用いて、これらの複数台の機器を集中的に制御操作することが可能である。
【００２３】
上記ＡＶコントロールシステムにおいては、コントローラ(１)にマトリクススイッチャー(２)が接続されており、該マトリクススイッチャー(２)には、各機器のＡＶ入力端子及びＡＶ出力端子を接続するためのＡＶ入力ポート(21)及びＡＶ出力ポート(22)が設けられている。
【００２４】
ＡＶ入力ポート(21)には、ＡＶ再生機器としてのＶＣＲ(31)、ＤＶＤプレーヤ(32)及びＬＤプレーヤ(33)が接続されており、マトリクススイッチャー(２)は、コントローラ(１)から供給されるＡＶ入力切換え信号に基づいて、ＡＶ入力をＶＣＲ(31)、ＤＶＤプレーヤ(32)及びＬＤプレーヤ(33)の何れかの機器に切り換える。
【００２５】
一方、ＡＶ出力ポート(22)には、画像表示機器としてのモニタ装置(３)が接続されており、モニタ装置(３)には、前記何れかの機器から出力されたＡＶ信号が入力される。該モニタ装置(３)は、前記コントローラ(１)に接続されており、コントローラ(１)からモニタ装置(３)に、後述の画像信号が供給される。
又、ＡＶ出力ポート(22)には、前記コントローラ(１)が接続され、コントローラ(１)には、上記複数台のＡＶ再生機器(31)(32)(33)の何れかの機器から出力されたＡＶ信号が入力される。
【００２６】
図２は、コントローラ(１)の構成を表わしている。
本発明に係るコントローラ(１)においては、上述の如く何れかのＡＶ再生機器から出力された映像信号は、映像信号検出回路(12)及び映像レベル検出回路(13)に入力される一方、音響信号は、音響信号検出回路(14)に入力される。
これらの検出回路(12)(13)(14)には、制御回路(15)が接続されており、映像信号検出回路(12)からは、映像信号の入力の有無を表わす映像入力コード、映像レベル検出回路(13)からは、映像信号の信号レベルの変動状態を区別するための映像レベルコード、音響信号検出回路(14)からは、音響信号の入力の有無を表わす音響入力コードが制御回路(15)に供給される。
【００２７】
制御回路(15)には、後述の動作状態テーブルが格納されたメモリ(16)と、リモートコントロール送信器(10)からのリモートコントロール信号を受信するリモートコントロール受信器(11)が接続されている。
制御回路(15)は、所定の機器に向けて所定の動作を行なわしめるための制御信号を出力すると共に、マトリクススイッチャー(２)に向けてＡＶ入力を所定のＡＶ再生機器に切り換えるためのＡＶ入力切換え信号を出力する。
又、制御回路(15)は、上述の如く供給された映像入力コード、映像レベルコード及び音響入力コードに基づいて、所定のＡＶ再生機器が所定の動作状態であるか否かを判断し、所定の動作状態でないと判断したとき、画像信号を作成して、該画像信号をモニタ装置に出力する。この結果、モニタ装置には、ＡＶ再生機器が所定の動作状態にない旨が表示されることになる。
【００２８】
映像信号検出回路(12)は、ＡＶ再生機器から供給される映像信号の水平同期信号の有無を検出し、水平同期信号が検出されない場合に、映像信号の入力が無いことを表わす映像入力コード“０”を制御回路(15)に供給する一方、水平同期信号が検出された場合に、映像信号の入力が有ることを表わす映像入力コード“１”を制御回路(15)に供給する。
【００２９】
映像レベル検出回路(13)は、水平サンプリング回路(131)と垂直サンプリング回路(132)と判定回路(133)とから構成され、ＡＶ再生機器からの映像信号は、水平サンプリング回路(131)及び垂直サンプリング回路(132)に供給される。
水平サンプリング回路(131)においては、入力された映像信号が、水平走査周期よりも短い一定の周期でサンプリングされ、そのサンプリング結果が判定回路(133)に入力される。
一方、垂直サンプリング回路(132)においては、入力された映像信号が、水平走査周期のｎ倍(ｎは１以上の整数)の周期でサンプリングされ、そのサンプリング結果が判定回路(133)に入力される。
【００３０】
判定回路(133)は、水平サンプリング回路(131)から得られる複数のサンプリング点の中から、水平走査期間毎に信号レベルのピーク点を抽出し、これによって得られる複数のピーク点の内、１つのピーク点の値が予め設定された所定の閾値以下であるか否かを判断すると共に、抽出した複数のピーク点の値が一致するか否かを判断する。
又、判定回路(133)は、垂直サンプリング回路(132)から得られる複数のサンプリング点を結ぶ波形に、一定の範囲を逸脱する大きな変動が一定の周期で現れるか否かを判断する。
そして判定回路(133)は、これらの判断結果に基づいて、“０”、“１”、“２”、“３”、“４”の何れかの値をとる映像レベルコードを制御回路(15)に供給する。判定回路(133)による具体的な判別手続きについては、後述する。
【００３１】
前記音響信号検出回路(14)は、一定の周期で、ＡＶ再生機器から供給される音響信号の信号レベルのピーク点を検出し、該ピーク点の値と予め設定された所定の閾値とを比較する動作を行なう。そして音響信号検出回路(14)は、ピーク点が所定の閾値以下である場合に、音響信号の入力が無いと判断して、その旨を表わす音響入力コード“０”を制御回路(15)に供給する一方、ピーク点が所定の閾値よりも大きい場合に、音響信号の入力が有ると判断して、その旨を表わす音響入力コード“１”を制御回路(15)に供給する。
【００３２】
ＡＶ再生機器の電源がオフの状態では、そのＡＶ再生機器から映像信号が出力されないため、映像レベル検出回路(13)の水平サンプリング回路(131)には映像信号が入力されない。
従って、映像レベル検出回路(13)の判定回路(133)は、水平サンプリング回路(131)から得られる複数のサンプリング点の中から抽出した１つのピーク点の値が、予め設定された所定の閾値以下であるときに、ＡＶ再生機器の電源がオフであると判断する。
【００３３】
図３(ａ)は、ＡＶ再生機器が通常再生動作、或いは再生しつつ早送り又は巻戻しを行なうサーチ再生動作を行なっているときにモニタ装置に表示される画面、同図(ｂ)は、ＡＶ再生機器の電源がオンとなった直後にモニタ装置に表示される画面、同図(ｃ)は、ＡＶ再生機器が通常の早送り動作又は巻戻し動作を行なっているときにモニタ装置に表示される画面を表わしている。
【００３４】
ＡＶ再生機器が通常再生動作又はサーチ再生動作を行なっている状態では、モニタ装置には、同図(ａ)に示す如く、ＡＶ再生機器にセットされている記録媒体から再生された映像が表示される。このとき、映像レベル検出回路(13)の水平サンプリング回路(131)には、前記記録媒体から再生された映像信号が入力されており、時刻ｔ１での画面中央部の水平走査期間内における映像信号の信号レベルのピーク点Ｐ１の値と、時刻ｔ２での画面中央部の水平走査期間内における映像信号の信号レベルのピーク点Ｐ１′の値とは一致しない。
【００３５】
又、ＡＶ再生機器の電源がオンとなった直後、或いはＡＶ再生機器が通常の早送り動作又は巻戻し動作を行なっている状態では、モニタ装置には、同図(ｂ)(ｃ)に示す如く、略全域が青色や灰色の一色の画面が表示される。このとき、映像レベル検出回路(13)の水平サンプリング回路(131)には、モニタ装置に略全域が青色や灰色の一色の画面を表示するための映像信号が入力されており、時刻ｔ１でのピーク点Ｐ１の値と時刻ｔ２でのピーク点Ｐ１′の値とが一致する。
【００３６】
従って、映像レベル検出回路(13)の判定回路(133)は、時刻ｔ１での画面中央部の水平走査期間内におけるピーク点Ｐ１の値と、時刻ｔ２での画面中央部の水平走査期間内におけるピーク点Ｐ１′の値とが一致するか否かを判断することによって、ＡＶ再生機器が、通常再生動作又はサーチ再生動作を行なっている状態、或いは、電源を投入された直後、又は通常の早送り動作若しくは巻戻し動作を行なっている状態の何れの状態であるかを判別する。
【００３７】
ＡＶ再生機器が通常の早送り動作又は巻戻し動作を行なっている状態では、モニタ装置には、同図(ｃ)に示す如く、左上部に早送り動作中或いは巻戻し動作中であることを表わす表示が為され、ＡＶ再生機器から出力される映像信号の信号レベルは、１の水平走査期間内において、かかる表示の一定期間だけ上昇する。従って、時刻ｔ１での画面上部の水平走査期間内におけるピーク点Ｐ０の値は、同時刻での画面中央部の水平走査期間内におけるピーク点Ｐ１の値に比べて大きくなり、両ピーク点Ｐ０、Ｐ１の値は一致しない。
これに対し、ＡＶ再生機器の電源がオンとなった直後は、モニタ装置には、同図(ｂ)に示す如く、全域が完全に一色の画面が表示され、ＡＶ再生機器から出力される映像信号の信号レベルは、常に一定である。従って、時刻ｔ１での画面上部の水平走査期間内におけるピーク点Ｐ０の値と、同時刻での画面中央部の水平走査期間内におけるピーク点Ｐ１の値とが一致する。
【００３８】
従って、映像レベル検出回路(13)の判定回路(133)は、時刻ｔ１での画面上部の水平走査期間内におけるピーク点Ｐ０の値と、同時刻での画面中央部の水平走査期間内におけるピーク点Ｐ１の値とが一致するか否かを判断することによって、ＡＶ再生機器が、電源を投入された直後の状態、或いは早送り動作又は巻戻し動作を行なっている状態の何れの状態であるかを判別する。
【００３９】
図４は、ＡＶ再生機器がサーチ再生動作を行なっているときにモニタ装置に表示される画面を模式的に表わしている。
ＡＶ再生機器がサーチ再生動作を行なっている状態では、モニタ装置に表示される映像に、図中に斜線で示す如く、ノイズによる横線が一定の間隔で表われる。
映像レベル検出回路(13)の垂直サンプリング回路(132)は、水平走査周期のｎ倍(ｎは１以上の整数)の周期で映像信号のサンプリングを行なう。従って、映像信号は、図中に破線の矢印で示す如く、モニタ装置の画面に沿って垂直方向に一定間隔でサンプリングされることになり、該サンプリングによって得られる複数のサンプリング点を結ぶ波形には、図５に示す如く、前記ノイズによる横線に応じて、一定の範囲を逸脱する大きな変動が一定の周期で現れることになる。
これに対し、ＡＶ再生機器が通常再生動作を行なっている状態では、モニタ装置に表示される映像に上記ノイズによる横線が表われず、複数のサンプリング点を結ぶ波形には上記大きな変動が一定の周期で現れない。
【００４０】
従って、映像レベル検出回路(13)の判定回路(133)は、垂直サンプリング回路(132)から得られる複数のサンプリング点を結ぶ波形に、一定レベル以上の大きな変動が現れるか否かを判断することによって、ＡＶ再生機器が、通常再生動作を行なっている状態、或いはサーチ再生動作を行なっている状態の何れの状態であるかを判別する。
【００４１】
図６は、上記映像レベル検出回路(13)の判定回路(133)による判別手続きを表わしている。
図示の如く、先ずステップＳ１では、水平サンプリング回路(131)から得られる複数のサンプリング点の中から抽出した１つのピーク点Ｐの値が所定の閾値Ｎ以下であるか否かを判断する。ここで、ＡＶ再生機器の電源がオフの状態である場合は、イエス(Ｙｅｓ)と判断されてステップＳ２に移行し、映像レベルコード“０”を制御回路(15)に出力して、手続きを終了する。
【００４２】
ステップＳ１にてノー(Ｎｏ)と判断された場合は、ステップＳ３に移行して、図３に示す時刻ｔ１での画面中央部の水平走査期間内におけるピーク点Ｐ１の値と、時刻ｔ２での画面中央部の水平走査期間内におけるピーク点Ｐ１′の値とが一致するか否かを判断する。
【００４３】
ＡＶ再生機器が通常再生動作又はサーチ再生動作を行なっている状態である場合は、図６のステップＳ３にてノーと判断されてステップＳ４に移行し、垂直サンプリング回路(132)から得られる複数のサンプリング点を結ぶ波形に、図５に示す一定レベル以上の大きな変動が現れるか否かを判断する。
ＡＶ再生機器が通常再生動作を行なっている状態である場合は、図６のステップＳ４にてノーと判断されてステップＳ５に移行し、映像レベルコード“１”を制御回路(15)に出力して、手続きを終了する。
一方、ＡＶ再生機器がサーチ再生動作を行なっている状態である場合は、ステップＳ４にてイエスと判断されてステップＳ６に移行し、映像レベルコード“２”を制御回路(15)に出力して、手続きを終了する。
【００４４】
これに対し、ＡＶ再生機器が電源を投入された直後の状態、或いはＡＶ再生機器が通常の早送り動作又は巻戻し動作を行なっている状態である場合は、ステップＳ３にてイエスと判断されてステップＳ７に移行し、図３に示す時刻ｔ１での画面上部の水平走査期間内におけるピーク点Ｐ０の値と、同時刻での画面中央部の水平走査期間内におけるピーク点Ｐ１の値とが一致するか否かを判断する。
ＡＶ再生機器が電源を投入された直後の状態である場合は、図６のステップＳ７にてイエスと判断されてステップＳ８に移行し、映像レベルコード“３”を制御回路(15)に出力して、手続きを終了する。
一方、ＡＶ再生機器が通常の早送り動作又は巻戻し動作を行なっている状態である場合は、ステップＳ７にてノーと判断されてステップＳ９に移行し、映像レベルコード“４”を制御回路(15)に出力して、手続きを終了する。
上記手続きによって、映像レベル検出回路(13)から制御回路(15)に映像レベルコードが供給されることになる。
【００４５】
図７は、コントローラ(１)のメモリ(16)に格納されている動作状態テーブルを表わしている。
該動作状態テーブルには、上述の如く映像信号検出回路(12)から制御回路(15)に供給される映像入力コード(“０”、“１”)、映像レベル検出回路(13)から制御回路(15)に供給される映像レベルコード(“０”〜“４”)、音響信号検出回路(14)から制御回路(15)に供給される音響入力コード(“０”、“１”)、ＡＶ再生機器の状態を表わす状態コード(“Ｆ０”〜“Ｆ４”)が格納されている。
ここで、ＡＶ再生機器が通常再生動作を行なっている状態(状態コード“Ｆ１”)、及びサーチ再生動作を行なっている状態(状態コード“Ｆ２”)では、記録媒体から再生される内容によっては一時的に音響信号の入力が途切れることがあるため、音響入力コードとして“０”及び“１”の何れの値も格納されている。
【００４６】
図８は、システムの電源が投入されたときに、コントローラ(１)の制御回路(15)によって実行される手続きを表わしている。
システムの電源が投入されると、先ずステップＳ１１にて、接続されている全ての機器に向けて、各機器の電源をオンとするための制御信号を送信した後、ステップＳ１２では、マトリクススイッチャー(２)に向けてＡＶ入力切換え信号を送信する。この結果、マトリクススイッチャー(２)のＡＶ入力が、何れかのＡＶ再生機器、即ちＶＣＲ(31)、ＤＶＤプレーヤ(32)或いはＬＤプレーヤ(33)に切り替わる。
【００４７】
次にステップＳ１３では、図７に示す動作状態テーブルを参照して、映像信号検出回路(12)、映像レベル検出回路(13)及び音響信号検出回路(14)から得られるコードに基づいて状態コードを特定し、該状態コードが、電源オン直後を表わす状態コード“Ｆ３”であるか否かを判断し、ノーと判断された場合は、ステップＳ１５に移行して、モニタ装置(３)に画像信号を供給する。この結果、モニタ装置(３)には、前記ＡＶ再生機器の電源がオンとなっていない旨が表示されることになる。
【００４８】
一方、ステップＳ１３にてイエスと判断された場合は、ステップＳ１４に移行して、接続されている全てのＡＶ再生機器について、電源がオンとなっているか否かの判断を行なったか否かを判断し、ノーと判断された場合はステップＳ１２に戻る。
その後、接続されている全てのＡＶ再生機器について、電源がオンとなっているかの判断が行なわれると、ステップＳ１４にてイエスと判断されて、上記手続きを終了する。
【００４９】
図９は、システムの電源がオンの状態で、コントローラ(１)の制御回路(15)によって実行される手続きを表わしている。尚、該手続きは、一定の制御周期で繰り返される。
先ずステップＳ２１にて、ユーザにより、所定の機器に所定の動作を実行させるための操作が行なわれた否かを判断し、ノーと判断された場合は、ステップＳ２１にて同じ判断を繰り返す。
一方、ステップＳ２１にてイエスと判断された場合は、ステップＳ２２に移行して、マトリクススイッチャー(２)に向けてＡＶ入力を所定のＡＶ再生機器に切り換えるためのＡＶ入力切換え信号を送信すると共に、所定の機器に向けて所定の動作を行なわしめるための制御信号を送信する。この結果、マトリクススイッチャー(２)のＡＶ入力が所定のＡＶ再生機器に切り替わると共に、所定の機器が所定の動作を開始する。
【００５０】
次にステップＳ２３では、図７に示す動作状態テーブルを参照して、映像信号検出回路(12)、映像レベル検出回路(13)及び音響信号検出回路(14)から得られるコードに基づいて状態コードを特定し、該状態コードが、前記ユーザ操作に応じた所定動作を行なっていることを表わす状態コードであるか否かを判断し、イエスと判断された場合は、ステップＳ２１に戻る。
一方、ステップＳ２３にてノーと判断された場合は、ステップＳ２４に移行して、モニタ装置(３)に画像信号を供給する。この結果、モニタ装置(３)には、前記所定のＡＶ再生機器が所定の動作を行なっていない旨が表示されることになる。
【００５１】
例えば、ユーザがＶＣＲ(31)の再生画をモニタ装置(３)に映し出すための操作を行なって、ＶＣＲ(31)が正常に通常再生動作を行なっている場合は、ステップＳ２３で、図７に示す状態コード“Ｆ１”が特定されて、該状態コードは、ユーザ操作に応じた所定動作を行なっていることを表わす状態コードであると判断される。
これに対し、ＶＣＲ(31)が正常に通常再生動作を行なっておらず、モニタ装置に青色や灰色の一色の画面が表示されている場合は、ステップＳ２３で、図７に示す状態コード“Ｆ３”が特定されて、該状態コードは、ユーザ操作に応じた所定動作を行なっていることを表わす状態コードでないと判断され、ステップＳ２４で、ＶＣＲ(31)が通常再生動作を行なっていない旨の表示がモニタ装置に為されることになる。
【００５２】
本実施例のＡＶコントロールシステムによれば、ユーザは、所定のＡＶ再生機器が自己の操作に応じた所定の動作状態にあるか否か、即ち、電源がオフの状態、通常再生動作を行なっている状態、サーチ再生動作を行なっている状態、電源が投入された直後の状態、或いは通常の早送り動作又は巻戻し動作を行なっている状態であるか否かを知ることが出来る。
【００５３】
尚、本発明の各部構成は上記実施の形態に限らず、特許請求の範囲に記載の技術的範囲内で種々の変形が可能である。
例えば、上記実施の形態においては、ＡＶ再生機器が電源を投入された直後の状態、或いは早送り動作又は巻戻し動作を行なっている状態の何れの状態であるかを判別するに際し、図３(ｂ)(ｃ)の時刻ｔ１での画面上部の水平走査期間内におけるピーク点Ｐ０の値と、同時刻での画面中央部の水平走査期間内におけるピーク点Ｐ１の値とを比較する構成を採用しているが、これに拘わらず、早送り動作中又は巻戻し動作中であることを表わす表示が画面の下部に為される場合は、画面下部の水平走査期間内におけるピーク点の値と、画面中央部の水平走査期間内におけるピーク点の値とを比較する構成を採用することも可能である。
【図面の簡単な説明】
【図１】本発明に係るＡＶコントロールシステムの構成を表わすブロック図である。
【図２】本発明に係るコントローラの構成を表わすブロック図である。
【図３】ＡＶ再生機器の各種動作状態において、モニタ装置に表示される画面を表わす図である。
【図４】ＡＶ再生機器がサーチ再生動作を行なっているときに、モニタ装置に表示される画面を表わす模式図である。
【図５】ＡＶ再生機器がサーチ再生動作を行なっているときに、垂直サンプリング回路からの複数のサンプリング点を結んで得られる波形を表わす図である。
【図６】映像レベル検出回路の判定回路による判別手続きを表わすフローチャートである。
【図７】コントローラのメモリに格納されている動作状態テーブルを表わす図である。
【図８】システムの電源を投入したときに、コントローラの制御回路によって実行される手続きを表わすフローチャートである。
【図９】システムの電源がオンの状態で、コントローラの制御回路によって実行される手続きを表わすフローチャートである。
【図１０】従来のＡＶコントロールシステムの構成を表わすブロック図である。
【符号の説明】
(１)  コントローラ
(10)  リモコン送信器
(２)  マトリクススイッチャー
(３)  モニタ装置
(31)  ＶＣＲ
(32)  ＤＶＤプレーヤ
(33)  ＬＤプレーヤ
【図１】
0003653434.tif 000002
【図２】
0003653434.tif 000003
【図３】
0003653434.tif 000004
【図４】
0003653434.tif 000005
【図５】
0003653434.tif 000006
【図６】
0003653434.tif 000007
【図７】
0003653434.tif 000008
【図８】
0003653434.tif 000009
【図９】
0003653434.tif 000010
【図１０】
0003653434.tif 000011